(57)【要約】【課題】液体試料の薄膜状態における光吸収スペクトルを測定可能な光吸収スペクトル測定用セルを得る。【解決手段】第１の基板１０１と、第２の基板１０２と、第１の基板１０１と第２の基板１０２の間に設けられた、液体試料を注入可能な空隙１０３を備え、第１の基板１０１は、空隙１０３内の液体試料との界面で光を全反射する光導波路を形成する。プリズム１０４を介して第１の基板１０１に光Ｌが入射し、光Ｌは第１の基板１０１内を全反射を繰り返しながら伝播する。導波路内を伝播した光は、プリズム１０５を通過した後、分光器を経て検出器に入射する。【選択図】図１
2008224373.tif 000002
【特許請求の範囲】
【請求項１】
第１の基板と、
前記第１の基板に対向して配置された第２の基板と、
前記第１の基板と前記第２の基板の間に設けられた、液体試料を注入可能な空隙を備え、
前記第１の基板は、前記空隙内の前記液体試料との界面で光を反射する光導波路を形成することを特徴とする光吸収スペクトル測定用セル。
【請求項２】
第１の基板と、
前記第１の基板に対向して配置された第２の基板と、
前記第１の基板と前記第２の基板の間に設けられた、液体試料を注入可能な空隙を備え、
前記第１の基板はプリズムを形成し、
前記第２の基板は、前記空隙と反対側の界面において、前記プリズムと前記空隙内の前記液体試料を透過した光を反射することを特徴とする光吸収スペクトル測定用セル。
【請求項３】
第１の基板と、
前記第１の基板に対向して配置された第２の基板と、
前記第１の基板と前記第２の基板の間に設けられた、液体試料を注入可能な空隙を備え、
前記第１の基板はプリズムを形成し、
前記第２の基板は、前記空隙内の前記液体試料との界面で光を反射する反射部を備えたことを特徴とする光吸収スペクトル測定用セル。
【請求項４】
前記反射部は、前記光に対する反射率が０．８５以上１．０以下であることを特徴とする請求項３に記載の光吸収スペクトル測定用セル。
【請求項５】
前記第１の基板と前記空隙内の前記液体試料の間に、前記液体試料を配向させる第１の配向層を備え、
前記第２の基板と前記空隙内の前記液体試料の間に、前記液体試料を配向させる第２の配向層を備え、
前記光に対する前記第１および第２の配向層の屈折率をＮａ、前記液体試料の屈折率をＮｓとすると、Ｎａ≧Ｎｓであることを特徴とする請求項１から請求項４のいずれかに記載の光吸収スペクトル測定用セル。
【請求項６】
前記第１および第２の配向層の厚みが、前記光の１波長以下であることを特徴とする請求項５に記載の光吸収スペクトル測定用セル。
【請求項７】
前記空隙の厚みが０．５μｍ以上１００μｍ以下であることを特徴とする請求項１から請求項６のいずれかに記載の光吸収スペクトル測定用セル。
【請求項８】
前記第１の基板および前記第２の基板が、紫外可視領域の光を透過する材料から形成されたことを特徴とする請求項１または請求項２に記載の光吸収スペクトル測定用セル。
【請求項９】
前記第１の基板が紫外可視領域の光を透過する材料からなり、前記反射部が紫外可視領域の光を反射する材料から形成されたことを特徴とする請求項３に記載の光吸収スペクトル測定用セル。
【発明の詳細な説明】
【技術分野】
【０００１】
本発明は、光吸収スペクトル測定用セルに関するものである。
【背景技術】
【０００２】
光導波路を利用して光吸収スペクトルを測定する方法が、特許文献１や特許文献２に開示されている。これらの従来技術では、測定対象は主に結晶や粉末などの固体であった。これらの測定方法を液体試料に適用しようとした場合、ある程度の容積を持つ水溶液などであれば測定することができたが、この方法では不揮発性の有機溶媒にしか溶解しない極微量の固体試料や常温で流動性を持つ液体試料の場合には測定することができなかった。特に液体試料の薄膜状態における光吸収スペクトルを正確に測定できなかった。例えば、液晶のような常温で流動性の試料を導波路面上に塗布した場合、平滑な表面の薄膜を形成することが難しく、薄膜界面での光散乱などによって測定誤差が大きくなってしまう。このため、液晶の薄膜状態における紫外可視領域の弱い光吸収スペクトルの測定などを高精度に行うことはできなかった。
【０００３】
【特許文献１】特開平８−７５６３９号公報
【特許文献２】特開２００１−１０８６１１号公報
【発明の開示】
【発明が解決しようとする課題】
【０００４】
本発明の目的は、液体試料の薄膜状態における光吸収スペクトル、特に紫外可視領域の光吸収スペクトルが測定可能な光吸収スペクトル測定用セルを得ることである。
【課題を解決するための手段】
【０００５】
本発明の光吸収スペクトル測定用セルは、第１の基板と、前記第１の基板に対向して配置された第２の基板と、前記第１の基板と前記第２の基板の間に設けられた、液体試料を注入可能な空隙を備え、前記第１の基板は、前記空隙内の前記液体試料との界面で光を全反射する光導波路を形成するものである。
本発明によれば、液体試料の薄膜状態における光吸収スペクトルまたは液晶のような液体試料の界面付近の光吸収スペクトルを高精度に測定することができる。
なお、前記空隙の厚みは０．５μｍ以上１００μｍ以下であることが望ましい。
また、前記第１の基板および前記第２の基板を、紫外可視領域の光を透過する材料で形成すれば、紫外可視領域の吸収スペクトルを高感度に測定するのに適した光吸収スペクトル測定用セルを形成することができる。なお、紫外可視領域の光を透過する材料としては、例えば合成石英やサファイアを用いることができる。
【０００６】
また、本発明の光吸収スペクトル測定用セルは、第１の基板と、前記第１の基板に対向して配置された第２の基板と、前記第１の基板と前記第２の基板の間に設けられた、液体試料を注入可能な空隙を備え、前記第１の基板はプリズムを形成し、前記第２の基板は、前記空隙と反対側の界面において、前記プリズムと前記空隙内の前記液体試料を透過した光を全反射するものである。
本発明によれば、液晶のような液体試料の薄膜状態における光吸収スペクトルを高精度に測定することができる。
なお、前記空隙の厚みは０．５μｍ以上１００μｍ以下であることが望ましい。
また、前記第１の基板および前記第２の基板を、紫外可視領域の光を透過する材料で形成すれば、紫外可視領域の吸収スペクトルを高感度に測定するのに適した光吸収スペクトル測定用セルを形成することができる。なお、紫外可視領域の光を透過する材料としては、例えば合成石英やサファイアを用いることができる。
【０００７】
また、本発明の光吸収スペクトル測定用セルは、第１の基板と、前記第１の基板に対向して配置された第２の基板と、前記第１の基板と前記第２の基板の間に設けられた、液体試料を注入可能な空隙を備え、前記第１の基板はプリズムを形成し、前記第２の基板は、前記空隙内の前記液体試料との界面で光を反射する反射部を備えたものである。
本発明によれば、液体試料の薄膜状態における光吸収スペクトルまたは液晶のような液体試料の界面付近の光吸収スペクトルを高精度に測定することができる。
なお、前記反射部は、前記光に対する反射率が０．８５以上１．０以下であることが望ましい。
また、前記空隙の厚みは０．５μｍ以上１００μｍ以下であることが望ましい。
また、前記第１の基板を紫外可視領域の光を透過する材料で形成し、前記反射部を紫外可視領域の光を反射する材料で形成することにより、紫外可視領域の吸収スペクトルを高感度に測定するのに適した光吸収スペクトル測定用セルを形成することができる。なお、紫外可視領域の光を透過する材料としては、例えば合成石英やサファイアを用いることができる。
【０００８】
また、前記第１の基板と前記空隙内の前記液体試料の間に、前記液体試料を配向させる第１の配向層を備え、前記第２の基板と前記空隙内の前記液体試料の間に、前記液体試料を配向させる第２の配向層を備え、前記光に対する前記第１および第２の配向層の屈折率をＮａ、前記液体試料の屈折率をＮｓとすると、Ｎａ≧Ｎｓであることが望ましい。
これにより、特定の方向へ配向させた状態での液体試料の光吸収スペクトルを測定することができる。これにより、光吸収の異方性の評価等を行うことができる。
なお、前記第１および第２の配向層の厚みは、前記光の１波長以下であることが望ましい。
【発明を実施するための最良の形態】
【０００９】
以下、本発明の実施の形態について図面を参照して説明する。
実施の形態１．
図１に、実施の形態１による光吸収スペクトル測定用セル１０の構成を示す。図１（Ａ）は光吸収スペクトル測定用セル１０の断面図、図１（Ｂ）は光吸収スペクトル測定用セル１０の平面図である。図に示すように、光吸収スペクトル測定用セル１０は、第１の基板１０１、第２の基板１０２、プリズム１０４，１０５、シール１０６を備えている。第１の基板１０１および第２の基板１０２は合成石英で形成されている。第１の基板１０１の厚みは１０μｍ以上５００μｍ以下であることが望ましい。
【００１０】
第１の基板１０１の両端にプリズム１０４，１０５が設けられている。これらプリズム１０４,１０５と第１の基板１０１は、マッチング液の使用などにより光学密着性が確保されている。第１の基板１０１と第２の基板１０２はシール１０６を介して貼り合わせられており、シール１０６の厚みによって両基板の間に空隙１０３が形成されている。空隙１０３の厚みは０．５μｍ以上１００μｍ以下である。空隙１０３に測定対象の液体試料が注入される。注入された液体試料は、両基板の間の空隙１０３の毛細管現象により確実に空隙内に薄膜状態として保持される。第２の基板１０２が設けられていないと、第１の基板１０１と液体試料との表面接触角に応じて液体試料がプリズム位置まで拡がったり、基板上で液滴となるなど、平滑な薄膜が形成されない場合がある。
【００１１】
図１（Ａ）に示すように、プリズム１０４を介して第１の基板１０１に光Ｌが入射する。第１の基板１０１は光導波路を形成しており、光Ｌは第１の基板１０１の導波路内を全反射を繰り返しながら伝播する。このとき、光Ｌの表面波が導波路基板１０１上に形成された液体試料内に僅かにしみ込む。このしみ込んだ表面波は、エバネッセント波と言われ、このような多重反射により、導波路表面から光の波長程度の近傍にエバネッセント波が発生する。このエバネッセント波が液体試料に吸収されると、光Ｌの強度が弱まる。このため、光導波路から出射する光Ｌの強度は入射光に比べて減少する。
【００１２】
導波路内を伝播した光は、プリズム１０５を通過した後、分光器を経て検出器に入射する。検出器で出射した光の強度を測定して分析することにより、測定試料の光吸収スペクトルを測定することができる。なお、プリズム１０４を介して導波路内へ光Ｌを入射させることにより、広い波長領域の光を導波路内に導入することができる。
【００１３】
以上のように、本発明による光吸収スペクトル測定用セル１０を用いれば、液体試料の薄膜状態における光吸収スペクトルまたは液体試料の界面付近の光吸収スペクトルを高精度に測定することができる。例えば、液晶のような常温で液体状の試料の界面における、紫外可視領域の光に対する吸収スペクトルを測定するのに適している。
【００１４】
なお、第１の基板１０１を形成する材料は、測定したい波長領域の光に合わせて選択することができる。例えば、紫外可視領域の吸収スペクトルを測定したい場合には、第１の基板１０１および第２の基板１０２を、紫外可視領域の光を透過する材料で形成すればよい。なお、紫外可視領域の光を透過する材料としては、例えば合成石英やサファイアを用いることができる。
【００１５】
実施の形態２．
図２に、実施の形態２による光吸収スペクトル測定用セル１０の構成を示す。図２（Ａ）は光吸収スペクトル測定用セル１０の断面図、図２（Ｂ）は光吸収スペクトル測定用セル１０の平面図である。図に示すように、光吸収スペクトル測定用セル１０は、第１の基板１０１、第２の基板１０２、プリズム１０４，１０５、シール１０６を備えている。第１の基板１０１および第２の基板１０２は合成石英で形成されている。第１の基板１０１および第２の基板１０２の厚みは１００μｍ以上２０００μｍ以下であることが望ましい。
【００１６】
第１の基板１０１の両端にプリズム１０４，１０５が設けられている。これらプリズム１０４,１０５と第１の基板１０１は、マッチング液の使用などにより光学密着性が確保されている。第１の基板１０１と第２の基板１０２はシール１０６を介して貼り合わせられており、シール１０６の厚みによって両基板の間に空隙１０３が形成されている。空隙１０３の厚みは０．５μｍ以上１００μｍ以下である。空隙１０３に測定対象の液体試料が注入される。注入された液体試料は、両基板の間の空隙１０３の毛細管現象により確実に空隙内に薄膜状態として保持される。第２の基板１０２が設けられていないと、第１の基板１０１と液体試料との表面接触角に応じて液体試料がプリズム位置まで拡がったり、基板上で液滴となるなど、平滑な薄膜が形成されない場合がある。
【００１７】
図２（Ａ）に示すように、プリズム１０４を介して第１の基板１０１に光Ｌが入射する。第１の基板１０１は多重反射プリズムを形成しており、光Ｌは第１の基板１０１のプリズム内に入射すると、第１の基板１０１、空隙１０３内の液体試料、および第２の基板１０２内を伝播する。光Ｌは第２の基板１０２の空隙１０３と反対側の界面１０２ａにおいては全反射される。光Ｌは液体試料内を通過する際に液体試料に吸収され、光Ｌの強度が弱まる。このため、光導波路から出射する光Ｌの強度は入射光に比べて減少する。
【００１８】
第１の基板１０１、空隙１０３内の液体試料、および第２の基板１０２内を伝播した光は、プリズム１０５を通過した後、分光器を経て検出器に入射する。検出器で出射した光の強度を測定して分析することにより、測定試料の光吸収スペクトルを測定することができる。なお、プリズム１０４を介して第１の基板１０１内へ光Ｌを入射させることにより、広い波長領域の光を導波路内に導入することができる。
【００１９】
以上のように、本発明による光吸収スペクトル測定用セル１０を用いれば、液体試料の均一な薄膜状態における光吸収スペクトルを高精度に測定することができる。例えば、液晶のような常温で液体状の試料の薄膜状態における、紫外可視領域の光に対する吸収スペクトルを測定するのに適している。
【００２０】
なお、第１の基板１０１および第２の基板１０２を形成する材料は、測定したい波長領域の光に合わせて選択することができる。例えば、紫外可視領域の吸収スペクトルを測定したい場合には、第１の基板１０１および第２の基板１０２を、紫外可視領域の光を透過する材料で形成すればよい。なお、紫外可視領域の光を透過する材料としては、例えば合成石英やサファイアを用いることができる。
【００２１】
実施の形態３．
図３に、実施の形態３による光吸収スペクトル測定用セル１０の構成を示す。図３（Ａ）は光吸収スペクトル測定用セル１０の断面図、図３（Ｂ）は光吸収スペクトル測定用セル１０の平面図である。図に示すように、光吸収スペクトル測定用セル１０は、第１の基板１０１、第２の基板１０２、プリズム１０４，１０５、シール１０６を備えている。第１の基板１０１および第２の基板１０２は合成石英で形成されている。第１の基板１０１の厚みは１００μｍ以上２０００μｍ以下であることが望ましい。
【００２２】
第１の基板１０１の両端にプリズム１０４，１０５が設けられている。これらプリズム１０４,１０５と第１の基板１０１は、マッチング液の使用などにより光学密着性が確保されている。第１の基板１０１と第２の基板１０２はシール１０６を介して貼り合わせられており、シール１０６の厚みによって両基板の間に空隙１０３が形成されている。空隙１０３の厚みは０．５μｍ以上１００μｍ以下である。空隙１０３に測定対象の液体試料が注入される。注入された液体試料は、両基板の間の空隙１０３の毛細管現象により確実に空隙内に薄膜状態として保持される。第２の基板１０２が設けられていないと、第１の基板１０１と液体試料との表面接触角に応じて液体試料がプリズム位置まで拡がったり、基板上で液滴となるなど、平滑な薄膜が形成されない場合がある。
【００２３】
第２の基板１０２は、空隙１０３との界面に反射部１０７を有している。反射部１０７は、第２の基板１０２の表面にアルミ、銀、誘電体多層膜等の蒸着膜を形成したものとすることができる。反射部１０７は、測定したい波長領域の光に対する反射率が０．８５以上１．０以下であることが望ましい。
【００２４】
図３（Ａ）に示すように、プリズム１０４を介して第１の基板１０１に光Ｌが入射する。第１の基板１０１は多重反射プリズムを形成しており、光Ｌは第１の基板１０１のプリズム内に入射すると、第１の基板１０１、空隙１０３内の液体試料中を伝播する。光Ｌは第２の基板１０２の反射部１０７においては反射される。光Ｌは液体試料内を通過する際に液体試料に吸収され、光Ｌの強度が弱まる。このため、光導波路から出射する光Ｌの強度は入射光に比べて減少する。
【００２５】
第１の基板１０１および空隙１０３内の液体試料中を伝播した光は、プリズム１０５を通過した後、分光器を経て検出器に入射する。検出器で出射した光の強度を測定して分析することにより、測定試料の光吸収スペクトルを測定することができる。なお、プリズム１０４を介して第１の基板１０１内へ光Ｌを入射させることにより、広い波長領域の光を導波路内に導入することができる。
【００２６】
以上のように、本実施形態による光吸収スペクトル測定用セル１０を用いれば、液体試料の均一な薄膜状態における光吸収スペクトルを高精度に測定することができる。例えば、液晶のような常温で液体状の試料の薄膜状態における、紫外可視領域の光に対する吸収スペクトルを測定するのに適している。
【００２７】
なお、第１の基板１０１および第２の基板１０２の反射部１０７を形成する材料は、測定したい波長領域の光に合わせて選択することができる。例えば、紫外可視領域の吸収スペクトルを測定したい場合には、第１の基板１０１を紫外可視領域の光を透過する材料で形成し、反射部１０７を紫外可視領域の光を反射する材料で形成すればよい。なお、紫外可視領域の光を透過する材料としては、例えば合成石英やサファイアを用いることができる。
【００２８】
実施の形態４．
図４に、実施の形態４による光吸収スペクトル測定用セル１０の断面図を示す。図に示すように、光吸収スペクトル測定用セル１０は、合成石英で形成された第１の基板１０１、第２の基板１０２を備え、第１の基板１０１と第２の基板１０２の間には空隙１０３が形成されている。空隙１０３の厚みは０．５μｍ以上１００μｍ以下である。空隙１０３に測定対象の液体試料が注入される。注入された液体試料は、両基板の間の空隙１０３の毛細管現象により確実に空隙内に薄膜状態として保持される。第２の基板１０２が設けられていないと、第１の基板１０１と液体試料との表面接触角に応じて液体試料がプリズム位置まで拡がったり、基板上で液滴となるなど、平滑な薄膜が形成されない場合がある。
【００２９】
第１の基板１０１は両端に傾斜面１０８ａ，１０８ｂを有している。光Ｌは、傾斜面１０８ａから入射する。第１の基板１０１は光導波路を形成しており、光Ｌは第１の基板１０１の導波路内を全反射を繰り返しながら伝播する。このような多重反射により、導波路表面から光の波長程度の近傍に発生したエバネッセント波が液体試料に吸収されると、光Ｌの強度が弱まる。このため、光導波路から出射する光Ｌの強度は入射光に比べて減少する。
【００３０】
導波路内を伝播した光は、傾斜面１０８ｂを通って出射し、分光器を経て検出器に入射する。検出器で出射した光の強度を測定して分析することにより、測定試料の光吸収スペクトルを測定することができる。
【００３１】
以上のように、実施の形態４では、第１の基板１０１と、光の入出射用プリズムが一体形成されておりセルの構成が単純である。本実施形態による光吸収スペクトル測定用セル１０を用いても、実施の形態１と同様の効果を得ることができ、さらにセルの構成を単純にできるので、製造が簡易になる。
【００３２】
なお、第１の基板１０１を形成する材料は、実施の形態１と同様に、測定したい波長領域の光に合わせて選択することができる。
【００３３】
また、本実施形態による第１の基板１０１を実施の形態２および実施の形態３の光吸収スペクトル測定用セル１０に適用することもできる。
【００３４】
実施の形態５．
図５に、実施の形態５による光吸収スペクトル測定用セル１０の構成を示す。図５（Ａ）は光吸収スペクトル測定用セル１０の断面図、図５（Ｂ）は光吸収スペクトル測定用セル１０の平面図である。図に示すように、光吸収スペクトル測定用セル１０は、合成石英で形成された第１の基板１０１、第２の基板１０２を備え、第１の基板１０１上には、凹型の掘り込みが形成され空隙１０９を有している。空隙１０９の厚みは０．５μｍ以上１００μｍ以下である。空隙１０９に測定対象の液体試料が注入され、第２の基板で空隙１０９を覆うように貼り合わされる。また、第１の基板１０１には、空隙１０９に注入された過剰な液体試料を排出するための溝１１０が数箇所設けられている。この空隙１０９によって、注入された液体材料が確実に空隙内に薄膜状態として保持される。
【００３５】
第１の基板１０１は両端に傾斜面１０８ａ，１０８ｂを有している。光Ｌは、傾斜面１０８ａから入射する。第１の基板１０１は光導波路を形成しており、光Ｌは第１の基板１０１の導波路内を全反射を繰り返しながら伝播する。このような多重反射により、導波路と空隙１０９内の表面から光の波長程度の近傍に発生したエバネッセント波が液体試料に吸収されると、光Ｌの強度が弱まる。このため、光導波路から出射する光Ｌの強度は入射光に比べて減少する。
【００３６】
導波路内を伝播した光は、傾斜面１０８ｂを通って出射し、分光器を経て検出器に入射する。検出器で出射した光の強度を測定して分析することにより、測定試料の光吸収スペクトルを測定することができる。
【００３７】
以上のように、実施の形態５では、液体試料を注入する空隙１０９が第１の基板１０１と一体形成されており、セルの小型化が可能である。本実施形態による光吸収スペクトル測定用セル１０を用いても、実施の形態１と同様の効果を得ることができ、さらにセルを小型化することができる。
【００３８】
なお、第１の基板１０１を形成する材料は、実施の形態１と同様に、測定したい波長領域の光に合わせて選択することができる。
【００３９】
また、本実施形態による第１の基板１０１を実施の形態２および実施の形態３の光吸収スペクトル測定用セル１０に適用することもできる。
【００４０】
実施の形態６．
図６に、実施の形態６による光吸収スペクトル測定用セル１０の断面図を示す。
図に示すように、実施の形態６では、第１の基板１０１と空隙１０３内の液体試料との間に液体試料を配向させる配向層１１１が備えられ、第２の基板１０２と空隙１０３内の液体試料との間に液体試料を配向させる配向層１１２が備えられている。配向層１１１および配向層１１２は、液体試料を配向させられる材料ならば特に限定はないが、例えば配向処理を施したポリイミド樹脂やポリアミック酸樹脂、あるいは斜方蒸着法で形成された酸化シリコンなどが好ましい。配向層１１１および配向層１１２の屈折率は液体試料の屈折率以上でなければならない。また、配向層１１１および配向層１１２の厚みは、入射する光の１波長以下が望ましい。
【００４１】
液体試料として液晶を用いた場合、本実施形態の光吸収スペクトル測定用セル１０によれば、液晶分子を特定の方向へ配向させた状態での液晶薄膜の吸収スペクトルを測定することができる。これにより、液晶材料の光吸収の異方性の評価を行うことができる。
【００４２】
なお、実施の形態１〜５のいずれの形態においても、第１の基板１０１および第２の基板１０２と液体試料との間に配向層を設けることにより、液体試料を特定の方向へ配向させることができ、配向状態での吸収スペクトルを測定することができる。
【図面の簡単な説明】
【００４３】
【図１】図１（Ａ）は、実施の形態１による光吸収スペクトル測定用セルの断面図、図１（Ｂ）は光吸収スペクトル測定用セルの平面図である。
【図２】図２（Ａ）は、実施の形態２による光吸収スペクトル測定用セルの断面図、図２（Ｂ）は光吸収スペクトル測定用セルの平面図である。
【図３】図３（Ａ）は、実施の形態３による光吸収スペクトル測定用セルの断面図、図３（Ｂ）は光吸収スペクトル測定用セルの平面図である。
【図４】図４は、実施の形態４による光吸収スペクトル測定用セルの断面図である。
【図５】図５（Ａ）は、実施の形態５による光吸収スペクトル測定用セルの断面図、図５（Ｂ）は光吸収スペクトル測定用セルの平面図である。
【図６】図６は、実施の形態６による光吸収スペクトル測定用セルの断面図である。
【符号の説明】
【００４４】
１０  光吸収スペクトル測定用セル、１０１  第１の基板、１０２  第２の基板、１０３  空隙、１０４，１０５  プリズム、１０６  シール、１０７  反射部、１０８ａ，１０８ｂ  傾斜面、１０９  空隙、１１０  溝、１１１，１１２  配向層
【図１】
2008224373.tif 000003
【図２】
2008224373.tif 000004
【図３】
2008224373.tif 000005
【図４】
2008224373.tif 000006
【図５】
2008224373.tif 000007
【図６】
2008224373.tif 000008